(57)【要約】  【課題】時間差再生機能を備えた記録再生装置において、早送り、巻戻し等の操作に応じて、テレビに出力されるデータを受信している放送データおよび再生データのいずれかに自動的に切り換える。  【解決手段】ハードディスク１３には所定時間分の放送データを記録可能なエンドレス構造の記録領域が設けられ、受信部１２で選局された放送データを当該記録領域に記録しながら同時に当該記録領域に記録されたデータを最大で所定時間分だけ遡って再生することが可能となっている。記録データの再生中にリモコン２３の早送りキーが操作され、記録データの終端が検出されると、再生動作が停止されると共に、選択部１７は受信部１２からの信号を出力する。また、選択部１７が受信部１２からの信号を出力しているときにリモコン２３の巻戻しキーが操作されると、記録データの再生が開始され、選択部１７は再生信号処理部１６からの信号を出力する。【選択図】  図１
2005318181.tif 000002
【特許請求の範囲】
【請求項１】
所定時間分の放送データを記録可能なエンドレス構造の巡回記録領域を有するハードディスクを備え、選局された局番の放送データを前記巡回記録領域に記録しながら同時に前記巡回記録領域に記録されたデータを最大で前記所定時間分だけ遡って再生することが可能な記録再生装置において、
前記放送データまたは再生された前記記録データのいずれかを選択して出力する選択部と、前記放送データの記録動作、前記記録データの再生動作および前記選択部を制御する制御部と、を備え、
前記制御部は、
前記記録データの再生動作中に前記記録データの終端を検出すると、再生動作を停止させると共に前記選択部に前記放送データを選択させ、
前記記録データの再生動作中に局番の変更指示を検出すると、再生動作を停止させ、変更指示された局番の放送データを前記巡回記録領域に記録させると共に前記選択部に当該局番の放送データを選択させ、
前記選択部が前記放送データを選択しているときに前記記録データの再生指示を検出すると、再生指示された前記記録データを再生すると共に前記選択部に再生された前記記録データを選択させ、
ある局番が選局されてから非選局となるまでの時間が第２所定時間以下であるときは、当該局番の前記放送データが実質的に前記巡回記録領域に記録されないように記録動作を制御することを特徴とする記録再生装置。
【請求項２】
所定時間分の放送データを記録可能なエンドレス構造の巡回記録領域を有する第１記録媒体を備え、選局された局番の放送データを前記巡回記録領域に記録しながら同時に前記巡回記録領域に記録されたデータを最大で前記所定時間分だけ遡って再生することが可能な記録再生装置において、
前記放送データまたは再生された前記記録データのいずれかを選択して出力する選択部と、前記放送データの記録動作、前記記録データの再生動作および前記選択部を制御する制御部と、を備え、
前記制御部は、
前記記録データの再生動作中に前記記録データの終端を検出すると、再生動作を停止させると共に前記選択部に前記放送データを選択させ、
前記記録データの再生動作中に局番の変更指示を検出すると、再生動作を停止させ、変更指示された局番の放送データを前記巡回記録領域に記録させると共に前記選択部に当該局番の放送データを選択させ、
前記選択部が前記放送データを選択しているときに前記記録データの再生指示を検出すると、再生指示された前記記録データを再生すると共に前記選択部に再生された前記記録データを選択させることを特徴とする記録再生装置。
【請求項３】
請求項２に記載の記録再生装置において、
前記制御部は、ある局番が選局されてから非選局となるまでの時間が第２所定時間以下であるときは、当該局番の前記放送データが実質的に前記巡回記録領域に記録されないように記録動作を制御することを特徴とする記録再生装置。
【請求項４】
請求項２または請求項３に記載の記録再生装置において、
前記第１記録媒体よりも高速動作可能な記録媒体であって前記放送データを記録する補助記録領域を有する第２記録媒体をさらに備え、
前記制御部は、前記放送データを前記補助記録領域に記録した後に前記巡回記録領域に移し、再生動作中には前記補助記録領域に記録されたデータおよび前記巡回記録領域に記録されたデータを一連の記録データとして扱うことを特徴とする記録再生装置。
【発明の詳細な説明】
【技術分野】
【０００１】
本発明は、所定時間分の放送データを記録可能なエンドレス構造の記録領域を有する記録媒体を備え、選局された局番の放送データを当該記録領域に記録しながら同時に当該記録領域に記録されたデータを最大で所定時間分だけ遡って再生することが可能な記録再生装置に関するものである。
【背景技術】
【０００２】
テレビ番組等の映像および音声等の放送データを記録するハードディスクレコーダには、時間差再生機能を備えたものがある。この時間差再生機能は、ハードディスクに所定時間分の放送データを一時的に記録する領域を録画予約された放送を記録する通常の記録領域とは別に確保し、選局されている局番の放送データを当該領域に記録しつつ、この記録されたデータに対して所定の処理（例えば、再生、早送り、巻戻し、一時停止）を行う機能である。この機能により、最大で所定時間分だけ遡った時点から現在までの放送データの再生が可能となる。また、当該領域はエンドレス構造になっており、所定時間分のデータが記録されて領域が一杯になると、最も古い放送データの上に新たな放送データが上書きされるようになっている。
【０００３】
また、特許文献１には、追いかけ再生機能を備えた録画再生装置において、再生中の早送り操作で現在の放送に追いついた時に外部から切り換え指示が入力されると、装置内の切り換えスイッチによって画面表示部への出力が再生映像から現在放送されている映像（受信部からの映像）に切り換えられることが示されている。
【特許文献１】特開２００１−１１９６６９号公報（要約、段落０００１〜０００５）
【発明の開示】
【発明が解決しようとする課題】
【０００４】
しかしながら、上記従来のものにおいては、再生中に早送り操作がされて現在の放送に追いついた時でも、ハードディスクに新たに記録される放送データを再生してテレビジョン受像機（以下、テレビという）に出力している。このため、ハードディスクレコーダは記録および再生の両方の動作をしなければならず、消費電力が大きいという問題、ならびにハードディスクおよびハードディスクの駆動部の寿命が短くなるという問題がある。また、放送のチャンネルが切り換えられた場合に（特に、放送内容がコマーシャルになって、チャンネルが頻繁に切り換えられる場合に）、テレビに出力される映像・音声の切り換りのレスポンスが遅いという問題もある。
【０００５】
一方、特許文献１に示されるものにおいては、画面表示部への出力が再生映像から現在放送されている映像へ切り換えられる際に、外部から切り換え指示を与えなければならず、操作性が悪いという問題がある。また、特許文献１に示される追いかけ再生は、エンドレス構造の記録領域を使用して行われるものではないし、再生中にチャンネルの切り換えが指示されたときの動作、および現在受信している映像から再生映像へ切り換えるときの動作については何ら示されていない。
【０００６】
本発明は、上記問題点を解決するものであって、その課題とするところは、早送り、巻戻し、チャンネル切り換え（選局）等の操作に応じて、出力されるデータを受信している放送データから再生データへ、または再生データから受信している放送データへ自動的に切り換えることのできる時間差再生機能を備えた記録再生装置を提供することにある。
【課題を解決するための手段】
【０００７】
本発明の記録再生装置は、所定時間分の放送データを記録可能なエンドレス構造の巡回記録領域を有するハードディスクを備え、選局された局番の放送データを巡回記録領域に記録しながら同時に巡回記録領域に記録されたデータを最大で所定時間分だけ遡って再生することが可能な記録再生装置において、放送データまたは再生された記録データのいずれかを選択して出力する選択部と、放送データの記録動作、記録データの再生動作および選択部を制御する制御部と、を備える。
【０００８】
この制御部は、記録データの再生動作中に記録データの終端を検出すると、再生動作を停止させると共に選択部に放送データを選択させる。また、記録データの再生動作中に局番の変更指示を検出すると、再生動作を停止させ、変更指示された局番の放送データを巡回記録領域に記録させると共に選択部に当該局番の放送データを選択させる。さらに、選択部が放送データを選択しているときに記録データの再生指示を検出すると、再生指示された記録データを再生すると共に選択部に再生された記録データを選択させる。さらに、ある局番が選局されてから非選局となるまでの時間が第２所定時間以下であるときは、当該局番の放送データが実質的に巡回記録領域に記録されないように記録動作を制御する。ここで、「実質的に巡回記録領域に記録されない」とは、巡回記録領域に放送データが一時的には記録されても、所定時間が経過した後（例えば、巡回記録領域に記録されたデータが再生されるとき）には巡回記録領域に記録されていないことをいう。
【０００９】
このようにすることで、早送り、巻戻し、チャンネル切り換え（選局）等の操作に応じて、記録再生装置から出力されるデータが受信している放送データから再生データ（再生された記録データ）へ、または再生データから受信している放送データへ制御部によって自動的に切り換えられるので、操作性が向上する。例えば、再生動作中に再生データの内容が現在受信している放送データと同じである状態になれば、再生動作が停止され、受信している放送データが記録再生装置から出力される。これにより、記録動作のみが行われるので、記録再生装置の消費電力が低減し、ハードディスクおよびハードディスクの駆動部の長寿命化が実現される。また、局番が切り換えられたときに記録再生装置に接続されているテレビの映像・音声の切り換りのレスポンスが早くなる。例えば、記録再生装置から放送データが出力されているときに、巻戻し操作がされることによって再生指示が検出されると、自動的に巡回記録領域の記録データの再生が開始され、記録再生装置から再生された記録データが出力されるので、最大で所定時間分だけ遡った時点の放送番組を視聴することが可能になる。
【００１０】
また、このようにすることで、短時間だけ選局された局番の放送データ（例えば、放送内容がコマーシャルになったときに視聴者が頻繁に切り換えをした局番の放送データ）は実質的に巡回記録領域に記録されない。そして、このような放送データは、巻戻し操作をして放送データを再生する場合に視聴者が見たい放送内容ではない。これにより、巡回記録領域には視聴者が必要とする放送データのみが記録され、巡回記録領域の有効利用が図られる。また、視聴者が記録された放送データを再生する際に、不要な部分（例えば、コマーシャルの部分）をスキップするための早送り操作をしなくとも、視聴者が必要とする放送データのみが再生される。
【００１１】
また、本発明の記録再生装置は、所定時間分の放送データを記録可能なエンドレス構造の巡回記録領域を有する記録媒体を備え、選局された局番の放送データを巡回記録領域に記録しながら同時に巡回記録領域に記録されたデータを最大で所定時間分だけ遡って再生することが可能な記録再生装置において、放送データまたは再生された記録データのいずれかを選択して出力する選択部と、放送データの記録動作、記録データの再生動作および選択部を制御する制御部と、を備える。この制御部は、記録データの再生動作中に記録データの終端を検出すると、再生動作を停止させると共に選択部に放送データを選択させる。また、記録データの再生動作中に局番の変更指示を検出すると、再生動作を停止させ、変更指示された局番の放送データを巡回記録領域に記録させると共に選択部に当該局番の放送データを選択させる。さらに、選択部が放送データを選択しているときに記録データの再生指示を検出すると、再生指示された記録データを再生すると共に選択部に再生された記録データを選択させる。
【００１２】
このようにすることで、早送り、巻戻し、チャンネル切り換え（選局）等の操作に応じて、記録再生装置から出力されるデータが受信している放送データから再生データ（再生された記録データ）へ、または再生データから受信している放送データへ制御部によって自動的に切り換えられるので、操作性が向上する。例えば、再生動作中に再生データの内容が現在受信している放送データと同じである状態になれば、再生動作が停止され、受信している放送データが記録再生装置から出力される。これにより、記録動作のみが行われるので、記録再生装置の消費電力が低減し、記録媒体および記録媒体の駆動部の長寿命化が実現される。また、局番が切り換えられたときに記録再生装置に接続されているテレビの映像・音声の切り換りのレスポンスが早くなる。例えば、記録再生装置から放送データが出力されているときに、巻戻し操作がされることによって再生指示が検出されると、自動的に巡回記録領域の記録データの再生が開始され、記録再生装置から再生された記録データが出力されるので、最大で所定時間分だけ遡った時点の放送番組を視聴することが可能になる。
【００１３】
本発明においては、制御部は、ある局番が選局されてから非選局となるまでの時間が第２所定時間以下であるときは、当該局番の放送データが実質的に巡回記録領域に記録されないように記録動作を制御する。ここで、「実質的に巡回記録領域に記録されない」とは、巡回記録領域に放送データが一時的には記録されても、所定時間が経過した後（例えば、巡回記録領域に記録されたデータが再生されるとき）には巡回記録領域に記録されていないことをいう。
【００１４】
このようにすることで、短時間だけ選局された局番の放送データ（例えば、放送内容がコマーシャルになったときに視聴者が頻繁に切り換えをした局番の放送データ）は実質的に巡回記録領域に記録されない。そして、このような放送データは、巻戻し操作をして放送データを再生する場合に視聴者が見たい放送内容ではない。これにより、巡回記録領域には視聴者が必要とする放送データのみが記録され、巡回記録領域の有効利用が図られる。また、視聴者が記録されたデータを再生する際に、不要な部分（例えば、コマーシャルの部分）をスキップするための早送り操作をしなくとも、視聴者が必要とする放送データのみが再生される。
【００１５】
また、本発明においては、第１記録媒体よりも高速動作可能な記録媒体であって放送データを記録する補助記録領域を有する第２記録媒体をさらに備え、制御部は、放送データを補助記録領域に記録した後に巡回記録領域に移し、再生動作中には補助記録領域に記録されたデータおよび巡回記録領域に記録されたデータを一連の記録データとして扱う。
【００１６】
このようにすることで、第１記録媒体に設けられた巡回記録領域と、第１記録媒体よりも高価であるが高速な第２記録媒体に設けられた補助記憶領域とを組み合わせた領域が放送データの記録領域となるので、記録再生の動作速度および製品コストの最適化を図ることが可能となる。
【発明の効果】
【００１７】
本発明によれば、時間差再生機能を備えた記録再生装置において、早送り、巻戻し、チャンネル切り換え（選局）等の操作に応じて、出力されるデータを受信している放送データから再生データへ、または再生データから受信している放送データへ自動的に切り換えるので、操作性が向上する。
【発明を実施するための最良の形態】
【００１８】
図１〜図５を参照して本発明の実施形態を説明する。まず、図１を参照して本発明に係るハードディスクレコーダ（以下、「レコーダ」という）の構成を説明する。このレコーダは、ランダムアクセス可能な記録媒体であるハードディスク１３を搭載しており、ハードディスク１３に放送番組の映像および音声等の放送データを記録し、それを再生する。
【００１９】
アンテナ１１で受信された放送信号（放送データ）は、受信部１２で選局、増幅および検波がなされ、記録信号処理部１５に送られる。記録信号処理部１５は、Ａ／Ｄ変換器、符号化回路および記録バッファ等から構成され、入力信号をＡ／Ｄ変換し、ＭＰＥＧ２方式により圧縮符号化して、記録バッファに格納する。記録バッファにおいてブロック化されたデータは、記録再生部１４によってハードディスク１３に記録される。記録再生部１４は、ハードディスク１３にデータを記録再生（読み書き）するための磁気ヘッド、書き込み信号にエラー訂正符号を付加する回路、読み出し信号の波形整形およびエラー訂正等を行うための回路、磁気ヘッドをハードディスク１３の径方向に移動させるためのシーク機構等から構成される。
【００２０】
記録再生部１４によって再生されたハードディスク１３の記録データは、再生信号処理部１６に送られる。再生信号処理部１６は、再生バッファ、復号化回路、Ｄ／Ａ変換器等から構成され、入力信号をバッファリングし、バッファリングされたデータを順番に復号化し、Ｄ／Ａ変換する。Ｄ／Ａ変換された信号（再生信号）は選択部１７に送られる。この選択部１７には受信部１２からの信号（放送信号）も入力される。選択部１７は、後述のＣＰＵ１８からの信号に従って、放送信号または再生信号のいずれかを選択し、選択した信号を出力する。この出力される信号は、例えばテレビジョン受像機（以下、「テレビ」という）に送られる。
【００２１】
また、レコーダは、レコーダの各部（受信部１２、記録信号処理部１５等）を制御するＣＰＵ１８を備えている。このＣＰＵ１８にはＲＯＭ１９、ＲＡＭ２０、時計ＩＣ２１およびリモコン受信部２２が接続されている。ＲＯＭ１９には、レコーダの動作を制御するプログラム（例えば、放送データの記録再生動作を制御するプログラム）が格納されている。ＲＡＭ２０は、各種の制御データ等の格納領域およびＣＰＵ１８の演算作業領域として使用される。尚、放送データの記録再生動作の制御は、ＣＰＵ１８、記録信号処理部１５、再生信号処理部１６および記録再生部１４の協働によって行われる。
【００２２】
時計ＩＣ２１は現在の時刻（年月日も含む）を記憶しており、この時刻はＣＰＵ１８から読み出し可能である。リモコン２３（リモートコントローラ）は、多数のキー（再生キー、一時停止キー、早送りキー、巻戻しキー、選局キー等）を備えており、いずれかのキーが押されると、当該キーの信号をリモコン受信部２２に送信する。リモコン受信部２２を介して当該キーの信号を受信したＣＰＵ１８は、押されたキーの種類に応じた処理を行う。
【００２３】
このレコーダは、リモコン２３のキーの操作によって録画予約された放送番組の放送データをハードディスク１３に記録し、それを再生する機能（これを「通常の記録再生機能」という）に加えて、時間差再生機能を備えている。時間差再生機能とは、通常の記録再生機能に使用する記録領域とは別に、ハードディスク１３に所定時間分の放送データを一時的に記録する領域を確保し、現在受信している放送データを当該領域に記録しつつ、この記録されたデータに対して所定の処理（例えば、再生、早送り、巻戻し、一時停止）を行う機能である。この機能により、最大で所定時間分だけ遡った時点から現在までの放送データの再生が可能となる。
【００２４】
次に、時間差再生機能を図２〜図４を参照して説明する。図２は、ＲＡＭ２０に記憶されている時間差再生機能用の制御データを示す図である。図３および図４は、時間差再生機能の動作を説明する図である。この時間差再生動作に使用される放送データの記録領域（以下、この記録領域を「巡回記録領域３１」という。図３（ａ）参照）は、エンドレス構造の記録領域であり、所定時間分（例えば、２時間分）の放送データを記録できるサイズの記録領域である。この巡回記録領域３１は、初期化処理によってハードディスク１３の一部に確保され、その先頭をＴＯＰで、終端をＥＮＤで表す。初期化処理は、レコーダを工場から出荷するとき行われ、巡回記録領域３１の先頭アドレス（シリンダ番号、トラック番号、セクタ番号）およびサイズ等がハードディスク１３の管理領域に保存される。尚、上記の初期化処理をユーザの操作によって行うようにしてもよい。
【００２５】
図２に示される制御データであるトップポインタＴＰは、巡回記録領域３１に記録されているデータ（以下、「記録データ」という）の先頭アドレスを指す。記録ポインタＷＰは、これから放送データを記録する巡回記録領域３１のアドレスを指す。再生ポインタＲＰは、再生する記録データが取り出される巡回記録領域３１のアドレスを指す。尚、再生が行われていないときには、再生ポインタＲＰと記録ポインタＷＰとの値は実質的に同じになる。「局番」の内容は、現在記録している放送データの局番（チャンネル）である。「選局時刻」の内容は、当該局番が新たに選局された時刻である。セーブポインタＳＰは、当該局番が新たに選局されたときの記録ポインタＷＰの内容をセーブする領域である。これらの制御データは、上述の初期化処理によって初期化される。例えば、トップポインタＴＰには巡回記録領域３１の先頭のアドレスが格納される。尚、ＲＡＭ２０が揮発性メモリーである場合は、レコーダの電源が投入されるたびに上述の制御データの初期化が行われる。
【００２６】
図３を参照して時間差再生機能の動作を説明する。以下の動作は、ＣＰＵ１８がＲＯＭ１９に格納されたプログラムを実行することによって実現される。図３（ａ）は初期化の直後の状態を示す図であり、トップポインタＴＰ，記録ポインタＷＰ，再生ポインタＲＰは巡回記録領域３１の先頭を指している。尚、図３ではセーブポインタＳＰの図示は省略されている。電源が投入されると、そのとき選局されている局番（この場合、２）の放送データの巡回記録領域３１への記録が開始される。その後、図３（ｂ）の状態になる。このとき、テレビ（不図示）は外部入力モードに設定されており、レコーダの選択部１７から出力されるデータの映像および音声を出力する。また、ＣＰＵ１８は放送信号（受信部１２の出力信号）を選択するように選択部１７を設定しているので、テレビには現在の放送信号が送られる。（ｂ）の状態で選局キーが押されて局番４が選局されると、局番４の放送データの巡回記録領域３１への記録が開始される。その後、（ｃ）の状態になる。（ｂ）の状態から（ｃ）の状態に遷移する際に、局番２の放送データの内で古いものは局番４の新たな放送データによって上書きされる。
【００２７】
次に、（ｃ）の状態で巻戻しキーが押されると、キーが押されている時間に応じて、再生ポインタＲＰは記録データの先頭側の位置を指すように変化する。また、その間にも放送データの記録が行われており、記録ポインタＷＰも新たな放送データを記録する位置を指すように変化する。この巻戻しの操作が行われている間は、視聴者が所望の箇所を見つけられるように記録データが逆方向に再生され、再生信号（再生信号処理部１６の出力信号）が選択部１７から出力されるように、ＣＰＵ１８は選択部１７を設定する。そして、巻戻しキーが離された時点で（ｄ）の状態となる。つまり、この状態で再生される記録データが指定されたことになる。
【００２８】
次に、（ｄ）の状態から局番４の放送データの再生が開始される。再生中は、ＣＰＵ１８は再生信号を選択するように選択部１７を設定する。再生中に一時停止キーが押されると再生動作は一時停止するが、放送データの記録は引き続き行われている。その後、一時停止キーが再び押されると再生動作が再開する。また、再生中に早送りキーが押されて再生ポインタＲＰが記録ポインタＷＰに等しくなると、（ｅ）の状態となる。この状態が検出されると、ＣＰＵ１８は再生動作を停止させると共に放送信号を選択するように選択部１７を設定する。
【００２９】
次に、（ｅ）の状態から、再び巻戻しキーが押され、暫くすると（ｆ）の状態になり、記録データの再生が開始される。再生中に選局キーが押されて局番６が選局されると、ＣＰＵ１８は再生動作を停止し、局番６の放送データの記録を開始すると共に放送信号を選択するように選択部１７を設定する。そして、暫くすると（ｇ）の状態になる。尚、再生動作の起動・停止の制御は、制御信号をＣＰＵ１８から記録再生部１４および再生信号処理部１６へ送ることによって行われる。記録動作の制御は、制御信号をＣＰＵ１８から記録再生部１４および記録信号処理部１５へ送ることによって行われる。また、トップポインタＴＰ，記録ポインタＷＰ，再生ポインタＲＰは、放送データの記録および再生が行われるたびに随時更新される。
【００３０】
上述のように、巡回記録領域３１に記録されたデータの再生動作中に、早送りキーが押された結果、ＣＰＵ１８が記録データの終端を検出すると、ＣＰＵ１８は再生動作を停止させると共に選択部１７に放送信号を選択させる。これにより、ハードディスク１３に対しては記録動作のみが行われるので、レコーダの消費電力が低減し、ハードディスク１３およびハードディスク１３の駆動部の長寿命化が実現される。また、選択部１７が放送信号を出力するように設定されるので、局番が切り換えられたときにテレビから出力される映像・音声の切り換りのレスポンスが早くなる。
【００３１】
また、巡回記録領域３１に記録されたデータの再生動作中に、選局キーが押されたことによる局番の変更指示をＣＰＵ１８が検出すると、ＣＰＵ１８は再生動作を停止させ、変更指示された局番の放送データを巡回記録領域３１に記録すると共に選択部１７に当該局番の放送信号を選択させる。これにより、上記の早送りキーが押された場合と同様の効果が得られる。さらに、選択部１７が放送信号を出力しているときに、巻戻しキーが押されたことによる再生指示をＣＰＵ１８が検出すると、ＣＰＵ１８は巡回記録領域３１の記録データの再生を開始させ、選択部１７が再生信号を出力するように選択部１７を設定する。これにより、最大で所定時間分だけ遡った時点の放送番組を視聴することが可能になる。
【００３２】
次に、図４を参照して、時間差再生機能の内、記録時間が所定時間以下である局番の放送データを実質的に巡回記録領域３１に記録しない機能（以下、これを「短時間不記録機能」という）の動作を説明する。例えば、テレビを見ているときにコマーシャルになると視聴者は頻繁に局番を変えて他の局番の放送を見るが、このような放送データは再生用のデータとして記録する必要がない。このような放送データを実質的に巡回記録領域３１に記録しないようにするのが短時間不記録機能である。
【００３３】
まず、局番２、４の放送データが順番に記録され、図４（ａ）の状態になっているものとする。この状態では、セーブポインタＳＰは局番４の記録データの先頭の位置を指している。（ａ）の状態のときに、選局キーが押されて局番６が選局されると、ＣＰＵ１８は局番（６）および当該時の時刻をそれぞれ制御データ「局番」および「選局時刻」に保存すると共に、記録ポインタＷＰの内容をセーブポインタＳＰに設定する。その後、局番６の放送データが巡回記録領域３１に記録され、（ｂ）の状態になる。
【００３４】
次に、（ｂ）の状態で選局キーが押されて局番８が選局されると、ＣＰＵ１８は、現在の時刻と制御データ「選局時刻」に保存されている時刻とを比較し、時間差が所定時間（例えば、１分）以下であるか否かを判断する。時間差が所定時間以下である場合は、（ｃ）に示すように、トップポインタＴＰの内容はそのままにして、記録ポインタＷＰおよび再生ポインタＲＰの内容を局番６の放送データの記録開始位置に変更する。これにより、局番６の放送データは実質的に巡回記録領域３１に記録されなかったことになる。（ｃ）の＃で示される部分が削除された記録データである。次に、（ｃ）の状態から局番８の放送データの記録が開始され、その後、（ｄ）の状態になる。一方、上記の時間差が所定時間よりも長ければ、局番６の放送データに引き続き局番８の放送データが巡回記録領域３１に記録され、その後、（ｅ）の状態になる。
【００３５】
次に、上述の時間差再生機能の動作の内、選局キーが押されたときの動作の詳細を図５のフローチャートを参照して説明する。まず、選局キーが押されると、ＣＰＵ１８は、選局キーで指定された新たな局番と制御データ「局番」に保存されている現在の局番が同じであるかを調べることによって、局番の変更があるか否かを判断する（Ｓ１）。局番の変更がない場合は、このフローチャートの呼び出し元に戻る。局番の変更がある場合は、ＣＰＵ１８は新たな局番（変更後の局番）を受信部１２に設定する（Ｓ２）。これにより、新たな局番の放送データが巡回記録領域３１に記録されるようになる。次に、ＣＰＵ１８は再生動作中か否かを判断する（Ｓ３）。再生動作中でない場合は、Ｓ７に進む。再生動作中である場合は、ＣＰＵ１８は再生動作を停止し（Ｓ４）、放送信号を選択するように選択部１７を設定する（Ｓ５）。これにより、選択部１７から新たな局番の放送信号が出力される。次に、ＣＰＵ１８は記録ポインタＷＰの内容を再生ポインタＲＰに設定する（Ｓ６）。これにより、巻戻しキーが押された場合には、再生ポインタＲＰが指す位置から巻戻し操作が行われることになる。その後、Ｓ７に進む。
【００３６】
Ｓ７では、ＣＰＵ１８は、時計ＩＣ２１の現在の時刻と制御データ「選局時刻」に保存されている時刻を比較することによって、現在の局番の放送データの記録時間（現在の局番が選局されていた時間）が所定時間以下であるか否かを判断する（Ｓ７）。現在の局番の放送データの記録時間が所定時間以下である場合は、ＣＰＵ１８はセーブポインタＳＰの内容を記録ポインタＷＰおよび再生ポインタＲＰに設定し（Ｓ８）、呼び出し元に戻る。これにより、現在の局番（変更前の局番）の放送データは巡回記録領域３１から削除され、現在の局番の放送データが記録されていた領域に新たな局番の放送データが上書きされる。Ｓ７で、現在の局番の放送データの記録時間が所定時間よりも長いと判断された場合は、ＣＰＵ１８は記録ポインタＷＰの内容をセーブポインタＳＰに設定し（Ｓ９）、呼び出し元に戻る。これにより、巡回記録領域３１に記録された現在の局番の放送データの後に新たに選局された局番の放送データが引き続き記録される。
【００３７】
以上述べた実施形態においては、ハードディスク１３に設けられた巡回記録領域３１を使用して時間差再生機能を実現する場合について説明したが、図６に示すように巡回記録領域３１に加えて補助記録領域３２を設けるようにしてもよい。この補助記録領域３２は、ハードディスク１３より高速動作が可能な記録媒体、例えば半導体メモリー（不図示）に確保される。この半導体メモリーは、ハードウエア的には半導体メモリー記録再生部１４（不図示）を介して前述の記録信号処理部１５および再生信号処理部１６からアクセス可能に構成される。
【００３８】
この補助記録領域３２のサイズは、巡回記録領域３１の記録可能時間よりも短い時間（例えば、５分）だけの放送データを記録できるサイズとしている。また、補助記録領域３２はエンドレス構造ではなく、補助記録領域３２の先頭から順番にデータが記録される。この補助記録領域３２には最新の放送データが記録され、記録されたデータの量が所定のサイズを超えると、当該データは巡回記録領域３１に移される。図における補助記録ポインタＷＰａ，補助再生ポインタＲＰａおよび補助セーブポインタＳＰａの機能は、それぞれ上述の記録ポインタＷＰ、再生ポインタＲＰおよびセーブポインタＳＰの機能と同様である。また、制御データ「局番」および「選局時刻」の動作も上述の場合と同様である。
【００３９】
次に、図６を参照して補助記録領域３２を用いた時間差再生機能の動作を簡単に説明する。以下の動作は、ＣＰＵ１８がＲＯＭ１９に格納されたプログラムを実行することによって実現される。まず、レコーダの電源が投入された後に、局番２，４，６の放送データが順番に記録され、補助記録領域３２に記録されたデータ量が所定サイズになったとする（（ａ）の状態）。この状態が検出されると、局番４の放送データは巡回記録領域３１に移される。ここでは、局番６が選局されてから所定時間が経過していないので、局番６の放送データは補助記録領域３２に残される。この結果、（ｂ）の状態になる。
【００４０】
次に、局番６の放送データが更に記録されたときに（（ｃ）の状態で）、局番８が選局されたとする。局番６が選局されていた時間が所定時間以下の場合は、局番６の放送データは補助記録領域３２から削除され、その後、局番８の放送データが補助記録領域３２の先頭から記録され、（ｄ）の状態になる。それに対し、局番６が選局されていた時間が所定時間を超えている場合は、局番６の放送データに引き続き局番８の放送データが補助記録領域３２に記録され、（ｅ）の状態になる。尚、再生動作時には、補助記録領域３２および巡回記録領域３１に記録されたデータが一連のデータとして再生動作の対象となる。
【００４１】
また、上記実施形態では、記録再生装置がハードディスクレコーダである場合について説明したが、記録再生装置は、光ディスク（例えば、ＤＶＤ−ＲＡＭ）記録再生装置、ハードディスクレコーダ一体型テレビジョン受像機等であってもよい。さらに、上記実施形態では、巡回記録領域３１を有する記録媒体がハードディスク１３である場合について説明したが、光ディスク（例えば、ＤＶＤ−ＲＡＭ）、半導体メモリー等の記録媒体であってもよい。
【図面の簡単な説明】
【００４２】
【図１】ハードディスクレコーダの構成を示す図である。
【図２】時間差再生機能用の制御データを示す図である。
【図３】時間差再生機能の動作を説明する図である。
【図４】時間差再生機能の動作を説明する図である。
【図５】時間差再生機能の動作の一部を示すフローチャートである。
【図６】補助記録領域を用いた時間差再生機能の動作を説明する図である。
【符号の説明】
【００４３】
１２  受信部
１３  ハードディスク
１４  記録再生部
１５  記録信号処理部
１６  再生信号処理部
１７  選択部
１８  ＣＰＵ
１９  ＲＯＭ
２０  ＲＡＭ
３１  巡回記録領域
３２  補助記録領域
【図１】
2005318181.tif 000003
【図２】
2005318181.tif 000004
【図３】
2005318181.tif 000005
【図４】
2005318181.tif 000006
【図５】
2005318181.tif 000007
【図６】
2005318181.tif 000008